(57)【要約】【課題】帯状金属にプレス打ち抜きで多数のコンタクトがキャリアに繋がった状態で形成され、後にキャリアから切り離されたとき、その切り離し部分が腐食しないコンタクト部材を提供すること。【解決手段】コンタクト１のキャリアからの切り離し部分で押し潰し先端を線状にする。これにより分断部の上面側のメッキ面と下面側のメッキ面とが線状に接することになり、素材金属が露出せず腐食しない。更に、この押し潰した先の線状部分を先端を内側にして巻き込んだ形にする。これにより線状部分が外気に触れにくくなり、更に防食効果が上がる。他に、切断により素材金属が露出してもその切断面を巻き返してメッキ面に当接させる構造とする。【選択図】図１
2010073449.tif 000002
【特許請求の範囲】
【請求項１】
キャリアと繋がっていた部分が押し潰されて切断部分が線状になっていることを特徴とするコンタクト部材。
【請求項２】
キャリアと繋がっていた部分が押し潰されて線状になった切断部分が内側になるように巻き込まれていることを特徴とするコンタクト部材。
【請求項３】
キャリアと繋がっていた切断部分が内側になるように巻き込まれていることを特徴とするコンタクト部材。
【請求項４】
キャリアと繋がっていた部分に耐腐食性物質が付着していることを特徴とするコンタクト部材。
【請求項５】
少なくとも素材露出部分に耐腐食性物質が付着していることを特徴とする請求項１〜３のいずれか１項に記載のコンタクト部材。
【請求項６】
請求項１〜５のいずれか１項に記載のコンタクト部材がハウジングに保持されていることを特徴とするコネクタ。
【発明の詳細な説明】
【技術分野】
【０００１】
本発明は、多数のコンタクト部材がキャリアに繋がった状態で得られるように板状導体をプレス打ち抜きして得られた連状コンタクトを、キャリアから切り離したときに生ずる素材露出部分の腐食を軽減ないし防止する技術の分野に属する。
【背景技術】
【０００２】
従来、多芯コネクタ用のコンタクトは、帯状の金属板に対し、プレス打ち抜きによって、コネクタハウジングのコンタクト挿入孔のピッチと同間隔で多数のコンタクトを形成するが、その際１個々々のコンタクトが分離するのではなく、帯状金属板のキャリアと呼ばれる部分に繋がった状態で形成され、その後メッキ等の処理がされる。
図４は、このような形成体の１例の斜視図である。コンタクト１とキャリア５の間に、後に切り離すことになるが、図４の状態では繋がっている分断部（連結部）３がある。
そして、多数のコンタクトをコネクタハウジングのコンタクト挿入孔へ圧入した後に、分断部（連結部）を切断治具で切断したり、或いは連結部３に予めＶ字状のノッチを入れて折り取り易くしておき、コンタクト１をコネクタハウジングに圧入し、後に折り取り治具により折り曲げてキャリア５を除去することが行われている（例えば、特許文献１参照）。
【特許文献１】特開２００６−１９１８３号公報（段落［０００２］、［０００３］、［０００５］、図９）
【発明の開示】
【発明が解決しようとする課題】
【０００３】
上記のように、コンタクト１をコネクタハウジングに圧入した後に、あるいは仮挿入した後に、キャリア５との連結部（分断部）３を切断治具で切断したり、折り取り治具で折り曲げるなどしてキャリア５を除去すると、図５の（ａ）のようになり、切断或いは折り取られた部分は（ｂ）の拡大図に示すように金属素材が露出し、外気に触れることにより、時間の経過とともに腐食が進行するという問題がある。
【０００４】
本発明の課題は、上記従来技術の問題点に鑑みて、キャリアを除去した部分の腐食を防止しうるコンタクト部材を提供することにある。
【課題を解決するための手段】
【０００５】
本発明は、上記の課題を解決するために以下の各手段構成を有する。
本発明の第１の構成は、
キャリアと繋がっていた部分が押し潰されて切断部分が線状になっていることを特徴とするコンタクト部材である。
【０００６】
本発明の第２の構成は、
キャリアと繋がっていた部分が押し潰されて線状になった切断部分が内側になるように巻き込まれていることを特徴とするコンタクト部材である。
【０００７】
本発明の第３の構成は、
キャリアと繋がっていた切断部分が内側になるように巻き込まれていることを特徴とするコンタクト部材である。
【０００８】
本発明の第４の構成は、
キャリアと繋がっていた部分に耐腐食性物質が付着していることを特徴とするコンタクト部材である。
【０００９】
本発明の第５の構成は、前記第１ないし第３の構成のいずれか１つの構成において、
少なくとも素材露出部分に耐腐食性物質が付着していることを特徴とするコンタクト部材である。
【００１０】
本発明の第６の構成は、前記第１ないし第５の構成の、いずれか１つの構成のコンタクト部材がハウジングに保持されていることを特徴とするコネクタである。
【発明の効果】
【００１１】
本発明の第１の構成では、キャリアと繋がっていた部分が押し潰されてキャリアから離脱した部分が刃物の刃先のような線状になっている。即ち、キャリアからの離脱による素材露出部分が線状になっており、切断や折り曲げによる離脱の場合よりも素材露出部分が非常に小さく腐食が生じたとしても、非常に小さくまたその進行も非常に遅いという効果がある。
【００１２】
本発明の第２の構成では、第１の構成のように、押し潰されて線状になったキャリアからの離脱部分が内側に巻き込まれているので、第１の構成の場合よりも更に外気に触れる度合が小さくなり、第１の構成よりも、腐食の発生、拡大が抑制されるという効果がある。
【００１３】
本発明の第３の構成は、第１の構成や第２の構成のように、押し潰されてはいないが、キャリアからの離脱部分が内側に巻き込まれているので、キャリアからの離脱部分が外気に触れる程度は、離脱したままの状態よりも小さくなり、離脱したままの状態に較べて、腐食の発生や拡大が抑制されるという効果がある。
【００１４】
本発明の第４の構成は、コンタクトのキャリアに繋がっていた部分に耐腐食性物質が付着していることにより、キャリアからの離脱によるコンタクト素材露出部分が耐腐食性物質で覆われていることになり、腐食の発生を防止できるという効果がある。
【００１５】
本発明の第５の構成は、前記第１の構成ないし第３の構成のいずれかの構成の素材露出部分に耐腐食性物質が付着しているので、より一層腐食の発生を防止できるという効果がある。
【００１６】
本発明の第６の構成では、前記第１ないし第５の構成のいずれか１つの構成における腐食防止処置が施されたコンタクト部材を用いたコネクタであるので、防食性に強いという効果がある。
【発明を実施するための最良の形態】
【００１７】
第１の構成において、キャリアと繋がっていた部分が押し潰されて線状となっている部分は、曲りや凹凸がある場合にも適用できるが、直線状や曲線状であることが最良の実施形態である。
【００１８】
第３の構成では、切断面ができるだけ外気に触れぬよう、コンタクト部材のメッキ面に当接するように巻き込むのが、最良の実施形態である。
【実施例】
【００１９】
以下、本発明のコンタクト部材の実施例を図面を参照して説明する。
図１は、本発明の第１の構成の実施例の斜視図であり、（ａ）はキャリアから切り離れたコンタクト１のキャリアと繋がっていた部分が押し潰されたものの全体斜視図であり、（ｂ）は押し潰し部分２に着目した拡大図である。
【００２０】
この押し潰し方法は、図４のコンタクトをコネクタハウジングのコンタクト挿入孔へ圧入した後、または仮挿入した後、分断部３を押し潰し、受け台の上に載置して、分断部のノッチへ例えば先端角度が１００度〜１５０度の押し付け刃を当接させて圧力を加えて行くことにより、押し付け刃の形に従って分断部がＶ字状に押し潰されて、先端が受け台に達したところで切り離されることになる。
切り離し前の図４の状態で全体がメッキされているから、押し潰しはメッキの上から行われることになり、結局、分断によって金属素材が露出することはない。
【００２１】
本発明の第２の構成は、図１のような楔形の押し潰し部分２の先端を上の方へ巻いた形のものであり、この巻き込みは通常の巻き込み技術で行うことができる。
【００２２】
図２は、本発明の第３の構成の実施例の斜視図で、（ａ）はコンタクト１の全体斜視図であり、（ｂ）は分断部に着目した拡大図である。これは分断部３の予め設けたノッチの傾斜が緩やかで長い場合であり、通常の切断や折り曲げ分断により先端で金属素材が露出している場合に、この先端を巻き返して素材露出面が傾斜面に当接するようにしたものであり、この当接により素材露出面が外気に触れないようにして腐食を防止する例である。
【００２３】
図３は、本発明の第４の構成の実施例の斜視図である。（ａ）は分断部３でキャリアから切り離され、金属素材が露出した面に耐腐食性物質４が付着している１つのコンタクトの斜視図であり、（ｂ）は分断部３に着目した拡大図である。
このように、分断により金属素材が露出した部分に耐腐食物質４を付着させることにより腐食防止が可能となる。
【００２４】
耐腐食性物質４の付着としては、塗料の塗布、接着剤の付着、樹脂被覆、金属蒸着、金属粉末塗布、再メッキ、すでに付着している酸化膜を増殖させる等、種々の手法がある。
なお、耐腐食性物質の付着は金属素材露出部分以外の部分に掛ってもよい。また、耐腐食性物質の付着は、第４の構成の場合ばかりではなく、第１、第２、第３の構成の場合にも、更に付着させることにより、更に耐腐食性を向上させることができる。
以上のようなコンタクト部材を用いたコネクタは腐食に対する信頼性を向上することができる。
【図面の簡単な説明】
【００２５】
【図１】本発明の第１の構成の実施例の斜視図である。
【図２】本発明の第３の構成の実施例の斜視図である。
【図３】本発明の第４の構成の実施例の斜視図である。
【図４】多数のコンタクトがキャリアに繋がっている状態の斜視図である。
【図５】コンタクトが図４の状態から分断部で切断され、切断部に金属素材が露出している状態を示す斜視図である。
【符号の説明】
【００２６】
１  コンタクト
２  押し潰し部分
３  分断部
４  耐腐食性物質
５  キャリア
【図１】
2010073449.tif 000003
【図２】
2010073449.tif 000004
【図３】
2010073449.tif 000005
【図４】
2010073449.tif 000006
【図５】
2010073449.tif 000007